(57)【要約】【課題】切換動作に伴うバースト雑音の発生が充分に抑えられるようにしたＰＩＮダイオードスイッチ回路を提供すること。【解決手段】ＰＩＮダイオード３、４の順バイアスと逆バイアスにより、端子Ｘと端子Ｚが接続された状態と、端子Ｙと端子Ｚが接続された状態とに切換えるようにしたＰＩＮダイオードスイッチ回路において、端子ＣＸからＰＩＮダイオード３に至る制御信号の経路に時定数回路５１とスナバ回路５４を設け、端子ＣＹからＰＩＮダイオード３に至る制御信号の経路には時定数回路６１とスナバ回路６４を設け、コンデンサ５とコイル６の接続点Ｑに現れるバースト雑音が抑えられるようにした。【選択図】図１
2010252161.tif 000002
【特許請求の範囲】
【請求項１】
ＰＩＮダイオードをスイッチ素子とし、ステップ状に変化する切換信号を前記スイッチ素子に供給して切換動作させる方式のダイオードスイッチ回路において、
前記切換信号の供給経路にスナバ回路と時定数回路を設け、
前記スナバ回路により、前記切換信号に含まれているスパイク状の高電圧が吸収され、前記時定数回路により、前記切換信号の変化が緩やかされるように構成されていることを特徴とするダイオードスイッチ回路。
【発明の詳細な説明】
【技術分野】
【０００１】
本発明は、ダイオードを用いた高周波信号用のスイッチ回路に係り、特に、送受信装置におけるアンテナの切換に好適なＰＩＮダイオードを用いたダイオードスイッチ回路に関する。
【背景技術】
【０００２】
ＰＩＮダイオードは、一般に挿入損失が小さく、無バイアス状態又は逆バイアス状態でのアイソレーション(隔離状態)が良好で、スイッチング速度が早いなどの特徴があり、従って、高周波信号の切換用に従来から広く用いられている(例えば特許文献１参照)。
そして、その具体例としては、例えば送信装置と受信装置に共用されるアンテナの切換スイッチ回路がある。
【０００３】
例えばトランシーバなどの送受信装置の場合、図８に示すように、アンテナＡＮＴと送信回路Ｔ及び受信回路Ｒの間にアンテナ切換回路ＳＷを設け、送信時にはアンテナＡＮＴを送信回路Ｔの出力に切換え、受信時にはアンテナＡＮＴが受信回路Ｒの入力に切換えられるようにしているが、このときのアンテナ切換回路ＳＷとして、スイッチ素子にＰＩＮダイオードを用いたダイオードスイッチ回路が用いられる。
【０００４】
このダイオードスイッチ回路とは、良く知られているように、ダイオードを順バイアスし、導通状態(ＯＮ)にしたときをスイッチオンとし、逆バイアスし、遮断状態(ＯＦＦ)にしたときをスイッチオフとしたものであるが、このとき、ＰＩＮダイオードを用いれば、上記したように、オンしたとき挿入損失が小さく、オフしたときはアイソレーションが良好で、しかもスイッチング速度が早いというスイッチ素子に望ましき特性が容易に得られることになる。
【０００５】
ここで、まず、図５は、従来技術によるＰＩＮダイオードを用いたダイオードスイッチ回路の一例で、この従来技術は、端子Ｘと端子Ｙ、それに端子Ｚを備え、一方の切換状態では、端子Ｘと端子Ｚが接続され、他方の切換状態では、端子Ｙと端子Ｚが接続されるようにした、いわゆる２分岐型のスイッチ回路を２個のＰＩＮダイオード１、２により構成したもので、このため、端子Ｘはコンデンサ１０、１１を介して端子Ｚに高周波的に接続され、端子Ｙはコンデンサ２０、２１を介して端子Ｚに高周波的に接続されている。
【０００６】
ここで、まず、Ｘ側のＰＩＮダイオード１は、そのアノードがコンデンサ１０、１１の接続点に接続され、カソードはコンデンサ１２を介して高周波的に接地され、直流的にはコイル(インダクタンス素子)１３を介して接地されている。そして、Ｘ側の制御端子ＣＸは、抵抗１５とコイル１６を介してコンデンサ１０、１１の接続点に直流的に接続されている。
【０００７】
また、Ｙ側のＰＩＮダイオード２は、そのアノードがコンデンサ２０、２１の接続点に接続され、カソードはコンデンサ２２を介して高周波的に接地され、直流的にはコイル２３を介して接地されている。そして、Ｙ側の制御端子ＣＹは、抵抗２５とコイル２６を介してコンデンサ２０、２１の接続点に直流的に接続されている。
【０００８】
そこで、いま、図示してないスイッチ制御部からＸ側の制御端子ＣＸに電圧Ｅ(＞０)の切換制御信号Ｓを印加すると、抵抗１５とコイル１６を介してＸ側のＰＩＮダイオード１が順バイアスされ、この結果、ＰＩＮダイオード１は導通(オン)し、コンデンサ１０、１１の接続点を高周波的に接地し、端子Ｘを高周波的に接地状態にしてしまうので、端子Ｘか端子Ｚから隔離されたのと等価になり、従って、このときは、端子Ｙが端子Ｚに接続されることになる。
【０００９】
また、反対にＹ側の制御端子ＣＹに電圧Ｅ(＞０)の切換制御信号Ｓを印加した場合、抵抗２５とコイル２６を介してＹ側のＰＩＮダイオード２が順バイアスされ、この結果、ＰＩＮダイオード２がオンし、コンデンサ２０、２１の接続点を高周波的に接地し、端子Ｙを高周波的に接地状態にしてしまうので、今度は端子Ｙか端子Ｚから隔離されたのと等価になり、従って、このときは、端子Ｘが端子Ｚに接続されることになり、よって２分岐型のスイッチ回路としての動作か得られることになる。
このときの電圧Ｅとしては、ＰＩＮダイオード１、２を飽和導通領域にするのに充分な電圧値とする。
【００１０】
次に、図６は、従来技術によるＰＩＮダイオードを用いたダイオードスイッチ回路の他の一例で、これも２分岐型のスイッチ回路を２個のＰＩＮダイオード３、４により構成したもので、このため、端子Ｘはコンデンサ３０とＰＩＮダイオード３、それにコンデンサ５を介して端子Ｚに高周波的に接続され、端子Ｙはコンデンサ４０とＰＩＮダイオード４、それにコンデンサ５を介して端子Ｚに高周波的に接続されている。
【００１１】
このとき、ＰＩＮダイオード３、４とコンデンサ５の接続点は、コイル６により共通電位点に接続され、これにより直流的には接地されるが、高周波的には隔離された状態にある。
そして、Ｘ側の制御端子ＣＸは、抵抗３２とコイル３３を介してコンデンサ３０とＰＩＮダイオード３の接続点に直流的に接続され、Ｙ側の制御端子ＣＹは、抵抗４２とコイル４３を介してコンデンサ４０とＰＩＮダイオード４の接続点に直流的に接続されている。
【００１２】
そこで、Ｘ側の制御端子ＣＸに電圧Ｅ(＞０)の切換制御信号Ｓを印加すれば、Ｘ側のＰＩＮダイオード３が導通するので、端子Ｘと端子Ｚの間が高周波的に接続され、Ｙ側の制御端子ＣＹに電圧Ｅを印加すれば、Ｙ側のＰＩＮダイオード４が導通するので、今度は端子Ｙと端子Ｚの間が高周波的に接続されることになり、２分岐型のスイッチ回路として動作することになる。
【先行技術文献】
【特許文献】
【００１３】
【特許文献１】特開２００１−２２３５５１号公報
【発明の概要】
【発明が解決しようとする課題】
【００１４】
上記従来技術は、ダイオードスイッチ回路の切換制御信号がステップ状に変化する点に配慮がされているとは言えず、切換制御信号の変化によりバースト的に発生する雑音がスイッチ回路の出力端子に現れてしまうという問題がある。
例えば、図５で説明した従来技術の場合、制御端子ＣＸ、ＣＹに印加された切換制御信号Ｓに含まれている高調波成分が、図７に示すように、コンデンサ１１、２１を介して端子Ｚにバースト雑音Ｂとして現れてしまう。
【００１５】
また、図６で説明した従来技術の場合は、制御端子ＣＸ、ＣＹに印加された制御電圧により、ＰＩＮダイオード３、４からコイル６を介して接地にサージ電流が流れるので、コイル６のインダクタンス成分によりリンギング電圧が発生し、これがコンデンサ５を介して端子Ｚに現れ、図７に示すように、バースト雑音Ｂとなってしまう。
このとき、端子Ｚに、図８に示すように、アンテナＡＮＴが接続されていたとすれば、このバースト雑音がスプリアスとしてアンテナＡＮＴから空間に放射され、アンテナＡＮＴの周囲の近傍にある他の無線装置や自局装置の受信部などの周辺装置Ｐに捉えられてしまった場合、それぞれの装置でスケルチ機能が作動してしまう。
【００１６】
このため、従来技術によるＰＩＮダイオードスイッチ回路は、周辺機器が存在した場合、それらに誤動作を誘発させてしまう虞があるという問題があった。
本発明は、上記従来技術の問題点に鑑みてなされたもので、その目的は、切換動作に伴うバースト雑音の発生が充分に抑えられるようにしたＰＩＮダイオードスイッチ回路を提供することにある。
【課題を解決するための手段】
【００１７】
上記目的は、ＰＩＮダイオードをスイッチ素子とし、ステップ状に変化する切換信号を前記スイッチ素子に供給して切換動作させる方式のダイオードスイッチ回路において、前記切換信号の供給経路にスナバ回路と時定数回路を設け、前記スナバ回路により、前記切換信号に含まれているスパイク状の高電圧が吸収され、前記時定数回路により、前記切換信号の変化が緩やかされるようにして達成される。
【発明の効果】
【００１８】
本発明によれば、切換動作に伴うバースト雑音の発生が抑えられるので、切換操作を行っても周辺機器に誤動作の虞がなく、従って、アンテナの切換に適用した場合、周辺機器の存在を意識せずに使用することができる。
【図面の簡単な説明】
【００１９】
【図１】本発明に係るダイオードスイッチ回路の第１の実施形態を示す回路図である。
【図２】本発明に係るダイオードスイッチ回路の第１の実施形態の動作を説明するための波形図である。
【図３】本発明に係るダイオードスイッチ回路の第２の実施形態を示す回路図と波形図である。
【図４】本発明に係るダイオードスイッチ回路の第３の実施形態を示す回路図と波形図である。
【図５】従来技術によるダイオードスイッチ回路の一例を示す回路図である。
【図６】従来技術によるダイオードスイッチ回路の他の一例を示す回路図である。
【図７】ダイオードスイッチ回路におけるバースト雑音を説明するための波形図である。
【図８】ダイオードスイッチ回路の適用例を説明するためのブロック図である。
【発明を実施するための形態】
【００２０】
以下、本発明によるダイオードスイッチ回路について、図示の実施形態により詳細に説明する。
図１は、本発明の第１の実施形態で、これは、図６で説明したＰＩＮダイオードスイッチ回路に本発明を適用した場合の一実施の形態であり、従って、端子Ｚと端子Ｘ、Ｙ、ＰＩＮダイオード３、４、コンデンサ５、コイル６、コンデンサ３０、４０、コイル３３、４３、それに制御端子ＣＸ、ＣＹは、図６の場合と同じであるが、しかし、この図１の実施形態においては、制御端子ＣＸ、ＣＹはトランジスタ５０、６０のベースに接続され、コイル３３、４３は時定数回路５１、６１に接続されている。
ここで、時定数回路５１、６１は、抵抗５１Ａ、６１Ａとコンデンサ５１Ｂ、６１ＢからなるＲＣ時定数回路で構成されている。
【００２１】
ここで、まず、Ｘ側のトランジスタ５０のエミッタは、抵抗５２を介して電圧Ｖｄが印加され、コレクタには、抵抗５３を介して電圧−Ｖｄが印加されている。そして、そのベースと電圧Ｖｄの間には、抵抗５４Ａとコンデンサ５４Ｂの直列回路からなるスナバ回路５４が接続されている。
Ｙ側でも同様で、トランジスタ６０のエミッタには、抵抗６２を介して電圧Ｖｄが印加され、コレクタには、抵抗６３を介して電圧−Ｖｄが印加されている。そして、そのベースと電圧Ｖｄの間には、抵抗６４Ａとコンデンサ６４Ｂの直列回路からなるスナバ回路６４が接続されている。
【００２２】
次に、第１の実施形態の動作について説明する。
まず、時刻ｔ0 でＸ側の制御端子ＣＸに切換用の電圧Ｅ(＞０)の制御信号Ｓを印加したとする。そうするとトランジスタ５０が導通状態(ＯＮ)になり、ベースの電圧が電圧Ｅに上昇する。
そして、この電圧Ｅが時定数回路５１とコイル３３を介してＸ側のＰＩＮダイオード３のアノードに制御信号として印加されるので、ＰＩＮダイオード３は順バイアスされ、この結果、Ｘ側のＰＩＮダイオード３は導通状態になるので、端子Ｘと端子Ｚの間が高周波的に接続さる。
【００２３】
このとき、まず、制御端子ＣＸにはスナバ回路５４が接続されており、次にトランジスタ５０のコレクタとコイル３３の間には時定数回路５１が設けてある。
そこで、まず、制御信号Ｓにスパイク状の高電圧が含まれていたとする。しかし、この場合、スナバ回路５４があるので、スパイク状の高電圧は、スナバ回路５４により抑制されてしまう。
従って、トランジスタ５０のベースには、スパイク状の高電圧が含まれていない制御電圧を制御信号として印加することができる。
【００２４】
また、このことは、Ｙ側でも同じであり、Ｙ側の制御端子ＣＹに正電圧＋Ｖを印加すれば、Ｙ側のＰＩＮダイオード４が導通するので、今度は端子Ｙと端子Ｚの間が高周波的に接続されることになり、２分岐型のスイッチ回路として動作することになる。
そして、このときも、Ｘ側と同じく、トランジスタ６０のベースには、スパイク状の高電圧が含まれていない制御電圧を制御信号として印加することができる。
【００２５】
次に、この実施形態では、トランジスタ５０のコレクタに現れた電圧Ｅの切換制御信号が、そのままコイル３３を介してＰＩＮダイオード３に印加されるのではなく、時定数回路５１を通ってからコイル３３に印加され、その上でＰＩＮダイオード３に印加される。
この結果、コンデンサ３０とＰＩＮダイオード３の接続点Ｑに現れる制御電圧ＶQ は、時刻ｔ0 で直ちにステップ状に立ち上がるのではなく、図２に示すように、時定数回路５１の時定数により決まる遅れ時間をもって緩やかに立ち上る。また、このことは、制御電圧ＶQ の立ち下がりに際して同じであり、同じく緩やかに立ち下がる。
【００２６】
このためＰＩＮダイオード３の遮断状態と導通状態の移行も緩やかになり、コイル６に通流される電流の変化も緩やかになってしまうので、インダクタンス成分により発生するリンギング電圧が抑えられるようになる。
そして、このことはＹ側でも同じであり、従って、ＰＩＮダイオード４からコイル６に通流される電流の変化も緩やかになってしまうので、インダクタンス成分により発生するリンギング電圧が抑えられるようになる。
【００２７】
従って、この第１の実施形態によれば、切換制御信号の変化によりバースト的に発生する雑音がスイッチ回路の出力端子に現れてしまう虞がなく、この結果、切換制御信号が高調波成分を含んでいた場合でも、バースト雑音が発生しないので、周辺機器が存在した場合でも誤動作の虞なく切換動作を行うことができる。
また、コイル６のインダクタンス成分によりリンギング電圧が発生する虞もないので、周辺機器が存在した場合でも誤動作の虞なく切換動作を行うことができる。
【００２８】
ところで、以上は、図６の従来技術によるダイオードスイッチ回路に本発明を適用した場合を第１の実施形態としているが、図５の従来技術によるダイオードスイッチ回路に本発明を適用して第１の実施形態としてもよい。
この場合、図５のＸ側では制御端子ＣＸとコイル１６に代えて、図１の制御端子ＣＸとコイル３３を設け、Ｙ側では制御端子ＣＹとコイル２６に代えて、図１の制御端子ＣＹとコイル４３を設けてやればよい。
【００２９】
次に、本発明の他の実施形態について説明する。
第１の実施形態は、端子Ｘと端子Ｙがそれぞれ１個のダイオードスイッチ回路を対象とした場合であるが、以下に説明する実施形態は、端子Ｘと端子Ｙの一方が複数個のダイオードスイッチ回路、又は端子Ｘと端子Ｙの双方が複数個のダイオードスイッチ回路を対象とした場合である。
この場合、まず、図１において、左側の一点鎖線よりも左側の構成をＸ側ユニットとし、右側の一点鎖線よりも右側の構成をＹ側ユニットとする。
そして、これらＸ側ユニットとＹ側ユニットを、図３に示すように、１個の端子Ｚとコンデンサ５、コイル６に組み合わせる。
【００３０】
ここで、図３は、本発明の第２の実施形態で、これは、Ｘ側ユニットがｎ個(ｎ≧２)の場合の一実施形態であり、次に、図４は、本発明の第３の実施形態で、これは、Ｙ側ユニットがｍ個(ｍ≧２)の場合の一実施形態である。
また、このとき、本発明の第３の実施形態として、Ｘ側ユニットとＹ側ユニットの双方が複数個の場合の実施形態もあるが、これについては図示を省略する。
そして、まず、図３において、Ｘ側切換信号協調回路１００は、ｎ個の入力とｎ個の出力を備え、切換制御信号Ｓ1、Ｓ2、……Ｓn の中で２種以上の信号が同時に発生した場合、それらの中の１種の信号を基準にし、残りの信号を順次、遅延させた上で、端子ＣＸ−１、ＣＸ−２、……ＣＸ−ｎから出力させる働きをする。
【００３１】
このとき切換制御信号Ｓ1、Ｓ2、……Ｓn と端子ＣＸ−１、ＣＸ−２、……ＣＸ−ｎは、それぞれＸ側ユニットＸＵ１、ＸＵ２、……ＸＵｎに対応するものである。
すなわち、まず、切換制御信号Ｓ1 はＸ側ユニットＸＵ１の制御信号で切換制御信号Ｓ2 はＸ側ユニットＸＵ２の制御信号、そして切換制御信号Ｓn はＸ側ユニットＸＵｎの制御信号であり、次に、端子ＣＸ−１はＸ側ユニットＸＵの制御端子ＣＸ−１に接続され、端子ＣＸ−２はＸ側ユニットＸＵ２の制御端子ＣＸ−２に接続され、そして、端子ＣＸ−ｎはＸ側ユニットＸＵｎの制御端子ＣＸ−ｎに接続される。
【００３２】
次に、図４において、Ｙ側切換信号協調回路１１０は、ｍ個の入力とｍ個の出力を備え、切換制御信号Ｓ1、Ｓ2、……Ｓm の中で２種以上の信号が同時に発生した場合、それらの中の１種の信号を基準にし、残りの信号を順次、遅延させた上で、端子ＣＹ−１、ＣＹ−２、……ＣＹ−ｍから出力させる働きをする。
そして、ここでも切換制御信号Ｓ1、Ｓ2、……Ｓm と端子ＣＹ−１、ＣＹ−２、……ＣＹ−ｍは、それぞれＹ側ユニットＹＵ１、ＹＵ２、……ＹＵｍに対応するものである。
【００３３】
すなわち、まず、切換制御信号Ｓ1 はＹ側ユニットＹＵ１の制御信号で切換制御信号Ｓ2 はＹ側ユニットＹＵ２の制御信号、そして切換制御信号Ｓm はＹ側ユニットＹＵｍの制御信号であり、次に、端子ＣＹ−１はＹ側ユニットＹＵ１の制御端子ＣＹ−１に接続され、端子ＣＹ−２はＹ側ユニットＹＵ２の制御端子ＣＹ−２に接続され、そして、端子ＣＹ−ｍはＹ側ユニットＹＵｍの制御端子ＣＹ−ｍに接続される。
【００３４】
次に、図３に示した第２の実施形態の動作について説明する。
いま、或る時刻ｔ0 においては切換制御信号Ｓ1 がＯＦＦで、切換制御信号Ｓ2、Ｓn は共にＯＮになっていたとする。この場合、ダイオードスイッチ回路では、端子Ｘ2 と端子Ｘn が端子Ｚに接続されていて、端子Ｘ1 は端子Ｚから隔離されていることになる。
ここで、時刻ｔ0 の後の或る時刻ｔ1 において、切換制御信号Ｓ1 がＯＮに変わり、切換制御信号Ｓ2、Ｓn は共にＯＦＦに変わったとする。
【００３５】
このとき、Ｘ側切換信号協調回路１００は、上記したように、切換制御信号Ｓ1、Ｓ2、……Ｓn の中で２種以上の信号が同時に発生した場合、それらの中の１種の信号(例えば、ＯＦＦからＯＮに変わった信号)を基準にし、残りの信号を順次、遅延させた上で、端子ＣＸ−１、ＣＸ−２、……ＣＸ−ｎから出力させる働きをする。
従って、この場合、ＯＦＦからＯＮに変わった信号、すなわち切換制御信号Ｓ1 を基準にし、これについては、時刻ｔ1 において直ちに端子ＣＸ−１から制御信号を発生させ、この後、波形図Ｂに示すように、所定の遅延時間τをもって、順次、端子ＣＸ−２と端子ＣＸ−ｎから制御信号を発生させる。
【００３６】
うまり、この場合、まず、時刻ｔ1 において端子ＣＸ−１から制御信号が発生され、次に時刻ｔ2 (＝ｔ1＋τ)において端子ＣＸ−２から制御信号が発生され、そして時刻ｔ3 (＝ｔ2＋２τ)において端子ＣＸ−ｎから制御信号が発生されることになる。
そうすると、この結果、まず、時刻ｔ1 において端子Ｘ1 が端子Ｚに接続され、この後、時刻ｔ1 において端子Ｘ2 が端子Ｚから隔離され、更に、この後の時刻ｔ2 において端子Ｘ3 が端子Ｚから隔離されて切換動作が終了することになる。
【００３７】
ところで、上記した切換動作に際して発生するバースト雑音の強度は各ユニットでほぼ同じであると考えて良い。
従って、このとき、もしもＸ側ユニットＸＵ１、ＸＵ２、ＸＵｎが全て同一のタイミング、すなわち時刻ｔ1 において同時に切換動作したとすれば、このときにコンデンサ５とコイル６の接続点Ｑに現れるバースト雑音Ｂの強度は、Ｘ側ユニットＸＵ１、ＸＵ２、ＸＵｎの３個のユニットで別々に発生したバースト雑音が加算され、極めて高いレベルになってしまうであろうことは想像に難くない。
【００３８】
しかるに、上記図３の実施形態では、波形図Ｂに示されているように、切換動作が別々のタイミングで分散して行われ、この結果、切換動作によってバースト雑音が発生したとしても、波形図Ａに示すように、各ユニットでそれぞれ異なったタイミングで分散された形で現れるので、加算されることはなく、従って、この実施形態によれば、切換動作に伴うバースト雑音のレベルが抑えられ、この結果、周辺機器に誤動作の虞をなくすことができる。
【００３９】
次に、図４に示した第３の実施形態の動作について説明する。
第２の実施形態と同様、いま、或る時刻ｔ0 においては切換制御信号Ｓ1 がＯＦＦで、切換制御信号Ｓ2、Ｓn は共にＯＮになっていたとすると、この場合、端子Ｙ2 と端子Ｙm が端子Ｚに接続されていて、端子Ｙ1 は端子Ｚから隔離されていることになる。
そして、時刻ｔ0 の後の或る時刻ｔ1 において、切換制御信号Ｓ1 がＯＮに変わり、切換制御信号Ｓ2、Ｓm は共にＯＦＦに変わったとする。
【００４０】
そこで、Ｙ側切換信号協調回路１１０は、これも上記したように、切換制御信号Ｓ1、Ｓ2、……Ｓm の中で２種以上の信号が同時に発生した場合、それらの中の１種の信号(例えば、ＯＦＦからＯＮに変わった信号)を基準にし、残りの信号を順次、遅延させた上で、端子ＣＹ−１、ＣＹ−２、……ＣＹ−ｍから出力させる働きし、従って、この場合、ＯＦＦからＯＮに変わった信号、すなわち切換制御信号Ｓ1 を基準にし、これについては、時刻ｔ1 において直ちに端子ＣＹ−１から制御信号を発生させ、この後、波形図Ｄに示すように、所定の遅延時間τをもって、順次、端子ＣＹ−２と端子ＣＹ−ｍから制御信号を発生させる。
【００４１】
つまり、この場合も、まず、時刻ｔ1 において端子ＣＹ−１から制御信号が発生され、次に時刻ｔ2 (＝ｔ1＋τ)において端子ＣＹ−２から制御信号が発生され、そして時刻ｔ3 (＝ｔ2＋２τ)において端子ＣＹ−ｍから制御信号が発生されることになり、この結果、まず、時刻ｔ1 において端子Ｙ1 が端子Ｚに接続され、この後、時刻ｔ1 において端子Ｙ2 が端子Ｚから隔離され、次いで、この後の時刻ｔ2 において端子Ｙ3 が端子Ｚから隔離されて切換動作が終了することになる。
【００４２】
そして、この場合も、切換動作に際して発生するバースト雑音の強度は各ユニットでほぼ同じであると考えて良く、従って、このとき、もしもＹ側ユニットＹＵ１、ＹＵ２、ＹＵｍが全て同一の時刻ｔ1 において同時に切換動作したとすれば、このときにコンデンサ５とコイル６の接続点Ｑに現れるバースト雑音Ｂの強度は、Ｙ側ユニットＹＵ１、ＹＵ２、ＹＵｍの３個のユニットで別々に発生したバースト雑音が加算され、極めて高いレベルになってしまう虞がある。
【００４３】
しかし、この第３の実施形態では、波形図Ｄに示されているように、切換動作が別々のタイミングで分散して行われ、この結果、切換動作によってバースト雑音が発生したとしても、波形図Ｃに示すように、各ユニットでそれぞれ異なったタイミングで分散された形で現れるので、加算されることはなく、従って、この第３の実施形態によっても切換動作に伴うバースト雑音のレベルが抑えられ、この結果、周辺機器に誤動作の虞をなくすことができる。
【００４４】
ところで、ダイオードスイッチ回路において、バースト雑音の発生が問題になるのは、上記したように、主として他の無線装置や自局装置の受信部などの周辺装置が存在した場合であり、この場合、周辺装置でスケルチ機能が作動してしまうためである。
そこで、周辺機器が上記したスイッチ制御部の管理下にある場合、例えば、自局装置の受信部が周辺機器の場合、或いは同期がとれている対応局の無線機の場合、スイッチ制御部から周辺機器に切換信号を供給し、ＰＩＮダイオードスイッチ回路を切換動作させているときは周辺機器のスケルチ機能がＯＦＦされるようにしてもよい。
【符号の説明】
【００４５】
１、２、３、４  ＰＩＮダイオード
５  コンデンサ(Ｚ側)
３０  コンデンサ(Ｘ側)
４０  コンデンサ(Ｙ側)
３３  コイル(Ｘ側)
４３  コイル(Ｙ側)
５０  トランジスタ(Ｘ側)
６０  トランジスタ(Ｙ側)
５１  時定数回路(Ｘ側)
６１  時定数回路(Ｙ側)
５２、５３  抵抗(Ｘ側)
６２、６３  抵抗(Ｙ側)
５４  スナバ回路(Ｘ側)
６４  スナバ回路(Ｙ側)
ＸＵ、ＸＵ１、ＸＵ２、ＸＵｎ  Ｘ側ユニット
ＹＵ、ＹＵ１、ＹＵ２、ＹＵｍ  Ｙ側ユニット
【図１】
2010252161.tif 000003
【図２】
2010252161.tif 000004
【図３】
2010252161.tif 000005
【図４】
2010252161.tif 000006
【図５】
2010252161.tif 000007
【図６】
2010252161.tif 000008
【図７】
2010252161.tif 000009
【図８】
2010252161.tif 000010